(57)【要約】【課題】ガス化ガスを炉本体の接線方向から導入した場合の渦に比べ、小さな渦を形成し、ガス化ガスを十分に撹拌し、高い改質率を達成するようにする。【解決手段】  炉本体１９内にガス化ガスと酸化剤を噴射してガス化ガスのタールを改質するタール改質炉１１であって、  炉本体１９の上部で環状の周方向に沿って形成する複数の噴射流路２３，２４を、内周側と外周側に配置し、内周側の噴射流路２３を、環状の径方向外側に向かって斜め下方に傾斜させると共に、外周側の噴射流路２４を、環状の径方向内側に向かって斜め下方に傾斜させ、  内周側の噴射流路２３と外周側の噴射流路２４には、ガス化ガス又は酸化剤の少なくとも一方が導入され、平面視で炉本体１９内に互い違いの噴射方向を生じ、旋回しつつ下方へ向かう渦を形成するように構成される。【選択図】図２
2015151434.tif 000002
【特許請求の範囲】
【請求項１】
炉本体内にガス化ガスと酸化剤を噴射してガス化ガスのタールを改質するタール改質炉であって、
前記炉本体の上部で環状の周方向に沿って形成する複数の噴射流路を、内周側と外周側に配置し、内周側の噴射流路を、環状の径方向外側に向かって斜め下方に傾斜させると共に、外周側の噴射流路を、環状の径方向内側に向かって斜め下方に傾斜させ、
前記内周側の噴射流路と前記外周側の噴射流路には、ガス化ガス又は酸化剤の少なくとも一方が導入され、平面視で前記炉本体内に互い違いの噴射方向を生じ、旋回しつつ下方へ向かう渦を形成するように構成されたことを特徴とするタール改質炉。
【請求項２】
前記内周側の噴射流路と前記外周側の噴射流路を同心に配置し、前記内周側の噴射流路にガス化ガスを導入すると共に、前記外周側の噴射流路に酸化剤を導入するように構成したことを特徴とする請求項１に記載のタール改質炉。
【請求項３】
前記内周側の噴射流路と前記外周側の噴射流路を同心に配置し、前記内周側の噴射流路と前記外周側の噴射流路にガス化ガスを導入するように構成し、更に前記内周側の噴射流路と前記外周側の噴射流路の間に、下方へ向かう中間の噴射流路を配置し、中間の噴射流路に酸化剤を導入するように構成したことを特徴とする請求項１に記載のタール改質炉。
【請求項４】
噴射流路を開閉する開閉手段と、該開閉手段を制御する制御部とを備えたことを特徴とする請求項１〜３のいずれか一項に記載のタール改質炉。
【請求項５】
前記内周側の噴射流路及び前記外周側の噴射流路を、鉛直方向に対して３０°以上６０°以下で傾斜させたことを特徴とする請求項１〜４のいずれか一項に記載のタール改質炉。
【請求項６】
請求項１〜５のいずれか一項に記載のタール改質炉を備えるガス化設備であって、原料からガス化ガスを取り出してタール改質炉に供給する流動層ガス化炉と、該流動層ガス化炉で生じたチャーと流動媒体を供給してチャーの燃焼により流動媒体を加熱する流動層燃焼炉と、該流動層燃焼炉から導出される排ガスから流動媒体を分離して前記流動層ガス化炉に供給する分離器とを備えたことを特徴とするガス化設備。
【発明の詳細な説明】
【技術分野】
【０００１】
本発明は、タールを改質するタール改質炉及びそのガス化設備に関するものである。
【背景技術】
【０００２】
一般に、二塔式ガス化炉等のガス化設備には、流動層ガス化炉から生じたガス化ガスを流す改質ラインを備えており、改質ラインには、ガス化ガスのタールを改質する酸化改質炉を配置している。
【０００３】
酸化改質炉は、ガス化ガスのタールを改質する円柱状の炉本体と、平面視で炉本体の周囲面の接線方向からガス化ガスを導入するガス化ガス導入部と、炉本体の天井から酸化剤を鉛直方向下向きへ導入する酸化剤導入部とを備えている（例えば、特許文献１参照）。
【０００４】
ガス化ガスのタールを改質する際には、ガス化ガスを炉本体の接線方向から導入して炉本体内に大きな渦を形成し、そこに酸化剤を鉛直方向下向きに吹き込み混合させる。続いてガス化ガスの炭化水素と水素ガスの一部を酸化剤により燃焼させて炉本体内を約１０００℃以上の高温状態にし、ガス化ガスに含まれる水蒸気によりタールを改質する。
【先行技術文献】
【特許文献】
【０００５】
【特許文献１】特開２００９−２９８９７４号公報
【発明の概要】
【発明が解決しようとする課題】
【０００６】
しかしながら、酸化改質炉は、ガス化ガスを平面視で炉本体の接線方向から導入して炉本体に大きな渦を形成し、そこに酸化剤を炉本体の天井から鉛直方向下向きに吹き込むため、炉本体内での撹拌はガス化ガスの大きな渦に依存し、ガス化ガス及び酸化剤を十分に撹拌することができないという問題があった。又、酸化改質炉の構造では、不十分な撹拌によって温度が不均一となり、酸化剤の噴出口付近では混合や反応が活発となり、局所的に、燃焼反応が大幅に進み、１０００℃以上の高温状態になる一方で、低温部では燃焼反応が進まず、結果的に高い改質率を達成できないという問題があった。
【０００７】
本発明は、上記従来の問題に鑑みてなしたもので、ガス化ガスを炉本体の接線方向から導入した場合の渦に比べ、小さな渦を形成してガス化ガスを十分に撹拌し、高い改質率を達成することができるタール改質炉及びそのガス化設備を提供するものである。
【課題を解決するための手段】
【０００８】
本発明のタール改質炉は、炉本体内にガス化ガスと酸化剤を噴射してガス化ガスのタールを改質するタール改質炉であって、
前記炉本体の上部で環状の周方向に沿って形成する複数の噴射流路を、内周側と外周側に配置し、内周側の噴射流路を、環状の径方向外側に向かって斜め下方に傾斜させると共に、外周側の噴射流路を、環状の径方向内側に向かって斜め下方に傾斜させ、
前記内周側の噴射流路と前記外周側の噴射流路には、ガス化ガス又は酸化剤の少なくとも一方が導入され、平面視で前記炉本体内に互い違いの噴射方向を生じ、旋回しつつ下方へ向かう渦を形成するように構成されたものである。
【０００９】
本発明のタール改質炉において、前記内周側の噴射流路と前記外周側の噴射流路を同心に配置し、前記内周側の噴射流路にガス化ガスを導入すると共に、前記外周側の噴射流路に酸化剤を導入するように構成することが好ましい。
【００１０】
又、本発明のタール改質炉において、前記内周側の噴射流路と前記外周側の噴射流路を同心に配置し、前記内周側の噴射流路と前記外周側の噴射流路にガス化ガスを導入するように構成し、更に前記内周側の噴射流路と前記外周側の噴射流路の間に、下方へ向かう中間の噴射流路を配置し、中間の噴射流路に酸化剤を導入するように構成することが好ましい。
【００１１】
又、本発明のタール改質炉において、噴射流路を開閉する開閉手段と、該開閉手段を制御する制御部とを備えることが好ましい。
【００１２】
又、本発明のタール改質炉において、前記内周側の噴射流路及び前記外周側の噴射流路を、鉛直方向に対して３０°以上６０°以下で傾斜させることが好ましい。
【００１３】
本発明のガス化設備は、上記のタール改質炉を備えるガス化設備であって、原料からガス化ガスを取り出してタール改質炉に供給する流動層ガス化炉と、該流動層ガス化炉で生じたチャーと流動媒体を供給してチャーの燃焼により流動媒体を加熱する流動層燃焼炉と、該流動層燃焼炉から導出される排ガスから流動媒体を分離して前記流動層ガス化炉に供給する分離器とを備えるものである。
【発明の効果】
【００１４】
本発明によれば、ガス化ガスを炉本体の接線方向から導入して渦を形成する場合に比べ、小さな渦を形成してガス化ガスを十分に撹拌し、高い改質率を達成することができるという優れた効果を奏し得る。
【図面の簡単な説明】
【００１５】
【図１】本発明のタール改質炉とそのガス化設備を示す概念図である。
【図２】本発明のタール改質炉の第一例を示すもので、（Ａ）は炉本体の上部を示す側面図、（Ｂ）は（Ａ）をＩＩＢ−ＩＩＢ方向から見た平面図である。
【図３】第一例の炉本体の上部を変形した場合を示す他の構造の側面図である。
【図４】第一例のガス化ガス及び酸化剤の導入構造を変形した場合を示す別の構造の側面図である。
【図５】炉本体内の小さい渦を示す平面図である。
【図６】本発明のタール改質炉の第二例を示すもので、（Ａ）は炉本体の上部を示す側面図、（Ｂ）は（Ａ）をＶＩＢ−ＶＩＢ方向から見た平面図である。
【図７】第二例の炉本体の上部を変形した場合を示す他の構造の側面図である。
【図８】第二例のガス化ガス及び酸化剤の導入構造を変形した場合を示す別の構造の側面図である。
【発明を実施するための形態】
【００１６】
以下、本発明のタール改質炉のガス化設備を実施する形態例を図１を参照して説明する。
【００１７】
ガス化設備１は、流動層を形成してガス化ガスを生成する流動層ガス化炉２と、流動層ガス化炉２で生じたチャーと流動媒体を供給してチャーの燃焼により流動媒体を加熱する流動層燃焼炉３と、流動層燃焼炉３から導出される排ガスから流動媒体を分離して流動層ガス化炉２に供給する分離器４とを備えている。ここでガス化設備１は、特定の設備に限定されるものではないが、二塔式ガス化炉が好ましい。
【００１８】
流動層ガス化炉２は、石炭等の原料を流動媒体の熱でガス化するガス化部５と、ガス化部５の下部に渡って形成されて流動層ガス化炉２内に水蒸気等のガス化剤を供給するボックス部６とを有しており、ガス化部５には原料供給ライン７が接続されていると共に、ボックス部６にはガス化剤供給ライン８が接続されている。又、流動層ガス化炉２は、ガス化されなかったチャーと流動媒体をオーバーフロー管９を介して流動層燃焼炉３へ供給すると共に、生成したガス化ガスを改質ライン１０へ供給するようになっている。ここで流動層ガス化炉２からガス化ガスを供給する改質ライン１０には、タール改質炉１１、熱交換器（以下、図示せず）、冷却器、誘引通風機（ＩＤＦ）、脱硫器、脱塩器等を備え、最終的にフレアスタック等へ導くようにしている。
【００１９】
流動層燃焼炉３は、流動層ガス化炉２のチャーと流動媒体とを下部から導入すると共に、空気管１２から供給される空気を下部の風箱１３から吹き出させる。チャーと流動媒体は吹き出される空気により流動化されて上昇し、上昇する間にチャーが燃焼して流動媒体が加熱されるようになっている。又、流動層燃焼炉３は、流動媒体を含む高温流体を移送管１４を介して分離器４へ供給するようになっている。
【００２０】
分離器４は、サイクロン構造を備えた外筒１５を配置しており、流動層燃焼炉３の流動媒体を含む高温流体が、外筒１５内へ接線方向に導入されて流動媒体と排ガスとに遠心分離されるようになっている。又、分離器４は、粒径が細かい灰分を含む排ガスを排出ライン１６から排出し、粒径の粗い未燃チャーを含む流動媒体を、分離器４に接続される降下管１７により流動層ガス化炉２に供給するようになっている。
【００２１】
次に、本発明のタール改質炉を実施する形態の第一例を図２〜図５を参照して説明する。
【００２２】
第一例のタール改質炉１１は、図２に示す如く、排出口１８（図１参照）を下方に備える円柱状の炉本体１９と、炉本体１９の上部のフランジ２０に構成されるガス化ガス噴射部２１と、炉本体１９の上部のフランジ２０に構成される酸化剤噴射部２２とを備えている。
【００２３】
ガス化ガス噴射部２１と酸化剤噴射部２２は、図２（Ｂ）、図５に示す如く平面視から見て、環状の周方向に沿って一定の間隔で形成された複数の噴射流路２３,２４を、同心になるように内周側と外周側に備えている。内周側の噴射流路２３は、ガス化ガスが導入されるようにガス化ガス噴射部２１の一部になっており、外周側の噴射流路２４は、酸化剤が導入されるように酸化剤噴射部２２の一部になっている。更に図２（Ａ）、図５に示す如く、内周側の噴射流路２３は、環状の径方向外側に向かって斜め下方に傾斜していると共に、外周側の噴射流路２４は、環状の径方向内側に向かって斜め下方に傾斜している。ここで、内周側の噴射流路２３、及び外周側の噴射流路２４は、図３に示す如く、フランジ２０のみに直接形成されるものでなく、フランジ２０の下部にノズル２０ａを設けても良い。又、内周側の噴射流路２３を、酸化剤が導入されるように酸化剤噴射部２２の一部にしても良いし、外周側の噴射流路２４を、ガス化ガスが導入されるようにガス化ガス噴射部２１の一部にしても良い。更に、複数の噴射流路２３，２４が形成される環状の位置とは、環状の中心点から径方向で同じ距離に限定されるものでなく、幅を有する環状帯の領域を示している。更に又、内周側の噴射流路２３及び外周側の噴射流路２４は、夫々３個以上ならば問題にならないが、炉本体１９のスケールを考慮して決定することが好ましい。
【００２４】
又、ガス化ガス噴射部２１は、環状に配置される内周側の噴射流路２３の流路口を全て覆うように、流動層ガス化炉２から延在する改質ライン１０（図１参照）の大径の配管２５がフランジ２０に接続されている。更に酸化剤噴射部２２は、環状に配置される外周側の噴射流路２４の流路口を全て覆うように環状の酸化剤導入室２６がフランジ２０に配置されている。また酸化剤導入室２６には、酸化剤を供給する酸化剤供給ライン２７の配管２８が接続されている。ここで、酸化剤噴射部２２は、図４に示す如く、環状の酸化剤導入室２６を備えることなく、個々の外周側の噴射流路２４に酸化剤供給ライン２７の配管２８を夫々接続しても良い。又、酸化剤供給ライン２７の配管２８には、外周側の噴射流路２４を開閉可能にする個々のバルブ等の開閉手段２９を備え、更に個々の開閉手段２９を制御する制御部３０を備えても良い。更に又、個々の内周側の噴射流路２３に、ガス化ガスを供給するように改質ライン１０の小径の配管（図示せず）を夫々接続しても良いし、内周側の噴射流路２３を開閉可能にするバルブ等の開閉手段（図示せず）や、開閉手段を制御する他の制御部（図示せず）を備えても良い。
【００２５】
内周側の噴射流路２３及び外周側の噴射流路２４は、図２（Ａ）に示す如く側面視で互いにクロスすると共に、図５に示す如く平面視で互い違いになっている。又、内周側の噴射流路２３及び外周側の噴射流路２４は、鉛直方向に対して３０°以上６０°以下、好ましくは、鉛直方向に対して４５°に設定されている。更に内周側の噴射流路２３と外周側の噴射流路２４は、平面視で環状方向に沿って複数備えられており、第一例では、環状方向に沿って炉本体１９の上部全体に配置されている。
【００２６】
本発明のタール改質炉を実施する形態の第一例の作用を説明する。
【００２７】
第一例のタール改質炉１１でガス化ガスのタールを改質する際には、流動層ガス化炉２から生じたガス化ガスを、改質ライン１０の配管２５を介して複数の内周側の噴射流路２３へ導入し、炉本体１９内に側面視で斜め外側下方へ向かい且つ平面視で環状の径方向外側に向かって放射状に噴射する。続いて空気又は高濃度の酸素等の酸化剤を、酸化剤供給ライン２７の配管２８を介して酸化剤導入室２６に供給し、酸化剤導入室２６から複数の外周側の噴射流路２４へ導入し、炉本体１９内に側面視で斜め内側下方へ向かい且つ平面視で外側から環状の径方向内側へ向かって噴射する。そして炉本体１９内でガス化ガスと酸化剤は、内周側の噴射流路２３と外周側の噴射流路２４により、平面視で互い違いの噴射方向を生じ、旋回しつつ下方へ向かう小さい渦を形成する。炉本体１９の全体では、内周側の噴射流路２３と外周側の噴射流路２４の複数の組み合わせにより、平面視で環状方向に沿って均等な小さい渦を複数形成し、ガス化ガスと酸化剤を撹拌混合する。ここで渦構造の形成は、ガス化ガスの噴射方向の逆側、酸化剤の噴射方向の逆側が負圧となり、そこに隣接して噴射されたガス化ガス又は酸化剤が入り込むことが主な形成理由となっている。又、撹拌混合の効果を高めるためには、内周側の噴射流路２３と外周側の噴射流路２４の間隔が小さい方が良く、内周側の噴射流路２３と外周側の噴射流路２４の数は多いほど良い。更に撹拌混合の効果は、内周側の噴射流路２３と外周側の噴射流路２４から噴射されるガス化ガスと酸化剤の運動量が高いほど良い。
【００２８】
そして、炉本体１９内では、ガス化ガスの炭化水素と水素ガスの一部を酸化剤により燃焼させて炉本体１９内を約１０００℃以上の高温状態にし、ガス化ガスに含まれる水蒸気によりタールを改質する。
【００２９】
その後、改質された改質ガスは、排出口１８（図１参照）から改質ライン１０の下流側に排出され、熱交換器（以下、図示せず）、冷却器、誘引通風機（ＩＤＦ）、脱硫器、脱塩器等を経由して処理され、最終的にフレアスタック等へ導かれる。
【００３０】
このように、タール改質炉の形態の第一例によれば、ガス化ガスを炉本体１９の接線方向から導入して大きな渦を形成する場合に比べ、小さな渦を形成してガス化ガスを十分に撹拌し、高い改質率を達成することができる。
【００３１】
又、タール改質炉の形態の第一例において、内周側の噴射流路２３と外周側の噴射流路２４を同心に配置し、内周側の噴射流路２３にガス化ガスを導入すると共に、外周側の噴射流路２４に酸化剤を導入するように構成すると、小さな渦を適切に形成してガス化ガスを好適且つ十分に撹拌し、高い改質率を達成することができる。
【００３２】
又、タール改質炉の形態の第一例において、内周側の噴射流路２３又は外周側の噴射流路２４を開閉する開閉手段２９と、開閉手段２９を制御する制御部３０とを備えると、炉本体１９内で温度分布の偏り等が生じた場合であっても、ガス化ガスや酸化剤の噴射量及び噴射位置を調整して対応し得るので、ガス化ガスを適切に撹拌し、高い改質率を達成することができる。
【００３３】
又、タール改質炉の形態の第一例において、内周側の噴射流路２３及び外周側の噴射流路２４を、鉛直方向に対して３０°以上６０°以下で傾斜させると、小さな渦を一層適切に形成してガス化ガスを好適且つ十分に撹拌し、高い改質率を達成することができる。ここで内周側の噴射流路２３及び外周側の噴射流路２４を、鉛直方向に対して３０°より小さい角度で傾斜させると、下方へ向かう力が強くなって排出口１８までの時間が短くなり、ガス化ガスを十分に撹拌することができないという問題がある。又、内周側の噴射流路２３及び外周側の噴射流路２４を、鉛直方向に対して６０°より大きい角度で傾斜させると、下方へ向かう力が弱くなってガス化ガスと酸化剤を排出口１８へ適切に導くことができず、温度分布の偏り等を生じるという問題がある。
【００３４】
又、図１に示す如く、上記のタール改質炉１１を備えるガス化設備１であって、原料からガス化ガスを取り出してタール改質炉１１に供給する流動層ガス化炉２と、流動層ガス化炉２で生じたチャーと流動媒体を供給してチャーの燃焼により流動媒体を加熱する流動層燃焼炉３と、流動層燃焼炉３から導出される排ガスから流動媒体を分離して流動層ガス化炉２に供給する分離器４とを備えると、ガス化ガスを好適に取り出すと共に、ガス化ガスを適切に処理することができる。
【００３５】
次に、本発明のタール改質炉を実施する形態の第二例を図６〜図８を参照して説明する。
【００３６】
第二例のタール改質炉３１は、第一例のガス化ガス噴射部２１と酸化剤噴射部２２の構成を変形したものであり、図６に示す如く、排出口１８（図１参照）を下方に備える円柱状の炉本体３２と、炉本体３２の上部のフランジ３３に構成されるガス化ガス噴射部３４と、炉本体３２の上部のフランジ３３に構成される酸化剤噴射部３５とを備えている。
【００３７】
ガス化ガス噴射部３４は、図６（Ｂ）に示す如く平面視から見て、環状の周方向に沿って一定の間隔で形成された複数の噴射流路３６，３７を、同心になるように内周側と外周側に備えている。又、図６（Ａ）に示す如く、内周側の噴射流路３６は、環状の径方向外側に向かって斜め下方に傾斜していると共に、外周側の噴射流路３７は、環状の径方向内側に向かって斜め下方に傾斜している。
【００３８】
一方、酸化剤噴射部３５は、図６（Ｂ）に示す如く平面視から見て、環状の周方向に沿って複数形成され、且つ内周側の噴射流路３６と外周側の噴射流路３７との間に位置する中間の噴射流路３８を備えている。中間の噴射流路３８は、図６（Ａ）に示す如く、内周側の噴射流路３６と外周側の噴射流路３７との間で鉛直方向下向きになっている。ここで内周側の噴射流路３６、外周側の噴射流路３７、中間の噴射流路３８は、第一例と同様に、フランジ３３のみに直接形成されるものでなく、フランジ３３の下部にノズルを設けても良い。又、複数の噴射流路３６，３７，３８が形成される環状の位置とは、環状の中心点から径方向で同じ距離に限定されるものでなく、幅を有する環状帯の領域を示しており、特に中間の噴射流路３８は、内周側の噴射流路３６と外周側の噴射流路３７との間に位置するならば、環状すなわち環状帯の領域のどの位置であっても良い。更に、第二例では、ガス化ガス噴射部３４に中間の噴射流路３８を備えると共に酸化剤噴射部３５に内周側の噴射流路３６及び外周側の噴射流路３７を備えても良い。更に内周側の噴射流路３６及び外周側の噴射流路３７は、夫々３個以上ならば問題にならないが、炉本体３２のスケールを考慮して決定することが好ましい。
【００３９】
又、ガス化ガス噴射部３４は、内周側の噴射流路３６の流路口及び外周側の噴射流路３７の流路口を全て覆うように、円筒状のガス化ガス導入室３９がフランジ３３に接続されている。更にガス化ガス導入室３９の中央には、ガス化ガスを供給する改質ライン１０（図１参照）の配管４０が接続されている。更に又、酸化剤噴射部３５は、ガス化ガス導入室３９を貫通して個々の中間の噴射流路３８に接続するように酸化剤供給ライン２７の個々の配管４１を配置し、酸化剤供給ライン２７の配管４１には、配管４１を開閉可能にするバルブ等の開閉手段４２を備えている。ここで、酸化剤噴射部３５は、図７に示す如く、ガス化ガス導入室３９を貫通して個々の中間の噴射流路３８に接続される第一配管４３と、ガス化ガス導入室３９の上部に配置されて第一配管４３の流路口を全て覆う環状の酸化剤導入室４４と、酸化剤導入室４４へ酸化剤を供給する酸化剤供給ライン２７の第二配管４５とを備えても良い。更に酸化剤噴射部３５は、図８に示す如く、個々の酸化剤供給ライン２７の配管４１を開閉する個々のバルブ等の開閉手段４２を備え、更に個々の開閉手段４２を制御する制御部４６を備えても良い。
【００４０】
内周側の噴射流路３６及び外周側の噴射流路３７は、図６（Ａ）に示す如く側面視で互いにクロスすると共に、図６（Ｂ）に示す如く、平面視で互い違いになっている。又、内周側の噴射流路３６及び外周側の噴射流路３７は、鉛直方向に対して３０°以上６０°以下、好ましくは、鉛直方向に対して４５°に設定されている。更に内周側の噴射流路３６と外周側の噴射流路３７は、平面視で環状方向に沿って複数備えられており、第二例では、環状方向に沿って炉本体３２の上部全体に配置されている。又、中間の噴射流路３８は、互いに近接する内周側の噴射流路３６と外周側の噴射流路３７の間に全て配置されている。
【００４１】
本発明のタール改質炉を実施する形態の第二例の作用を説明する。
【００４２】
第二例のタール改質炉３１でガス化ガスのタールを改質する際には、流動層ガス化炉２から生じたガス化ガスを、改質ライン１０の配管４０やガス化ガス導入室３９等を介して複数の内周側の噴射流路３６へ導入し、炉本体３２内に側面視で斜め外側下方へ向かい且つ平面視で環状の径方向外側に向かって放射状に噴射する。同時にガス化ガスを、複数の外周側の噴射流路３７へ導入し、炉本体３２内に側面視で斜め内側下方へ向かい且つ平面視で外側から環状の径方向内側に向かって噴射する。そして炉本体３２内でガス化ガスは、内周側の噴射流路３６と外周側の噴射流路３７により、平面視で互い違いの噴射方向を生じ、旋回しつつ下方へ向かう小さい渦を形成する。炉本体３２の全体では、内周側の噴射流路３６と外周側の噴射流路３７の複数の組み合わせにより、平面視で環状方向に沿って均等な小さい渦を複数形成する。一方で空気又は高濃度の酸素等の酸化剤は、酸化剤供給ライン２７の配管４１及び中間の噴射流路３８を介して炉本体３２内に側面視で鉛直方向下向きへ噴射され、炉本体３２内で小さい渦のほぼ中心に流下してガス化ガスに巻き込まれつつ撹拌混合される。ここで渦構造の形成は、第一例とほぼ同様な理由となっている。
【００４３】
そして、炉本体３２内では、ガス化ガスの炭化水素と水素ガスの一部が酸化剤により燃焼させて炉本体３２内を約１０００℃以上の高温状態にし、ガス化ガスに含まれる水蒸気によりタールを改質する。
【００４４】
その後、改質された改質ガスは、第一例と同様に、排出口１８（図１参照）から改質ライン１０の下流側に排出され、熱交換器（以下、図示せず）、冷却器、誘引通風機（ＩＤＦ）、脱硫器、脱塩器等を経由して処理され、最終的にフレアスタック等へ導かれる。
【００４５】
このように、タール改質炉３１の形態の第二例によれば、第一例と同様な作用効果を得ることができる。
【００４６】
又、タール改質炉３１の形態の第二例において、内周側の噴射流路３６と外周側の噴射流路３７を同心に配置し、内周側の噴射流路３６と外周側の噴射流路３７にガス化ガスを導入するように構成し、更に内周側の噴射流路３６と外周側の噴射流路３７の間に、下方へ向かう中間の噴射流路３８を配置し、中間の噴射流路３８に酸化剤を導入するように構成すると、ガス化ガスの小さな渦を適切に形成すると共に酸化剤を適切な位置に導入することが可能となり、ガス化ガス及び酸化剤を好適且つ十分に撹拌し、高い改質率を達成することができる。
【００４７】
又、図１、図６〜図８に示す如く、上記のタール改質炉３１を備えるガス化設備１であって、原料からガス化ガスを取り出してタール改質炉３１に供給する流動層ガス化炉２と、該流動層ガス化炉２で生じたチャーと流動媒体を供給してチャーの燃焼により流動媒体を加熱する流動層燃焼炉３と、流動層燃焼炉３から導出される排ガスから流動媒体を分離して流動層ガス化炉２に供給する分離器４とを備えると、第一例と同様に、ガス化ガスを好適に取り出すと共に、ガス化ガスを適切に処理することができる。
【００４８】
尚、本発明は、上述の実施例に限定されるものではなく、本発明の要旨を逸脱しない範囲内において種々変更を加え得ることは勿論である。
【符号の説明】
【００４９】
１    ガス化設備
２    流動層ガス化炉
３    流動層燃焼炉
４    分離器
１１    タール改質炉
１９    炉本体
２１    ガス化ガス噴射部
２２    酸化剤噴射部
２３    内周側の噴射流路
２４    外周側の噴射流路
２９    開閉手段
３０    制御部
３１    タール改質炉
３２    炉本体
３４    ガス化ガス噴射部
３５    酸化剤噴射部
３６    内周側の噴射流路
３７    外周側の噴射流路
３８    中間の噴射流路
４２    開閉手段
４６    制御部
【図１】
2015151434.tif 000003
【図２】
2015151434.tif 000004
【図３】
2015151434.tif 000005
【図４】
2015151434.tif 000006
【図５】
2015151434.tif 000007
【図６】
2015151434.tif 000008
【図７】
2015151434.tif 000009
【図８】
2015151434.tif 000010